(57)【要約】【課題】本発明は、カメラ用レンズモジュールに関する。【解決手段】本発明によるレンズモジュールは、正の屈折力を有し、物体側の面が凸の第１レンズと、負の屈折力を有し、像側の面が凹の第２レンズと、正の屈折力を有する第３レンズと、負の屈折力を有し、像側の面が凸の第４レンズと、負の屈折力を有し、像側の面が凹の第５レンズと、を含み、上記第４レンズは条件式１を満たすことができる。［式１］ｆ４／ｆ＜−３．０（条件式１において、ｆは光学系全体の焦点距離であり、ｆ４は第４レンズの焦点距離である。）【選択図】図１
2015014814.tif 000002
【特許請求の範囲】
【請求項１】
正の屈折力を有し、物体側の面が凸の第１レンズと、
負の屈折力を有し、像側の面が凹の第２レンズと、
正の屈折力を有する第３レンズと、
負の屈折力を有し、像側の面が凸の第４レンズと、
負の屈折力を有し、像側の面が凹の第５レンズと
を含み、
各々のレンズは、物体側から像側に向かい、前記第１レンズ、前記第２レンズ、前記第３レンズ、前記第４レンズ、前記第５レンズの順に配置され、
前記第４レンズは条件式１を満たす、レンズモジュール。
［式１］
ｆ４／ｆ＜−３．０
（条件式１において、ｆは光学系全体の焦点距離であり、ｆ４は第４レンズの焦点距離である。）
【請求項２】
前記第３レンズは像側の面が凸形状である、請求項１に記載のレンズモジュール。
【請求項３】
正の屈折力を有し、物体側の面が凸の第１レンズと、
負の屈折力を有し、像側の面が凹の第２レンズと、
像側に凸のメニスカス形状の第３レンズと、
負の屈折力を有し、像側の面が凸の第４レンズと、
負の屈折力を有し、像側の面が凹の第５レンズと
を含み、
各々のレンズは、物体側から像側に向かい、前記第１レンズ、前記第２レンズ、前記第３レンズ、前記第４レンズ、前記第５レンズの順に配置され、
前記第４レンズは条件式１を満たす、レンズモジュール。
［式１］
ｆ４／ｆ＜−３．０
（条件式１において、ｆは光学系全体の焦点距離であり、ｆ４は第４レンズの焦点距離である。）
【請求項４】
前記第１レンズと前記第４レンズは条件式２を満たす、請求項１から３の何れか１項に記載のレンズモジュール。
［式２］
２０＜υ１−υ４＜４０
（条件式２において、υ１は第１レンズのアッベ数（ａｂｂｅ  ｎｕｍｂｅｒ）であり、υ４は第４レンズのアッベ数である。）
【請求項５】
前記第１レンズと前記第４レンズは条件式３を満たす、請求項１から４の何れか１項に記載のレンズモジュール。
［式３］
ｆ４／ｆ１＜−５．０
（条件式３において、ｆ１は第１レンズの焦点距離であり、ｆ４は第４レンズの焦点距離である。）
【請求項６】
条件式４を満たす、請求項１から５の何れか１項に記載のレンズモジュール。
［式４］
０．５＜ＴＬ／ｆ＜２．０
（条件式４において、ＴＬは第１レンズの物体側の面からイメージセンサの上面までの距離であり、ｆは光学系全体の焦点距離である。）
【請求項７】
前記第４レンズはメニスカス形状である、請求項１から６の何れか１項に記載のレンズモジュール。
【請求項８】
前記第４レンズの物体側の面または前記第５レンズの像側の面には少なくとも一つの変曲点が形成される、請求項１から７の何れか１項に記載のレンズモジュール。
【発明の詳細な説明】
【技術分野】
【０００１】
本発明は、カメラ用レンズモジュールに関し、より詳細には、高解像度の性能及び明るい光学系を具現することができるレンズモジュールに関する。
【背景技術】
【０００２】
最近の携帯端末機は、画像通話及び写真撮影が可能であるように、カメラを備えている。また、携帯端末機においてカメラが占める機能が益々拡大するに伴い、携帯端末機用カメラの高解像度及び高性能化に対する要求が益々高まっている。
【０００３】
ところで、携帯端末機は益々小型化及び軽量化する傾向にあるため、高解像度及び高性能のカメラを具現するには限界がある。
【０００４】
このような問題点を解消するために、最近は、カメラのレンズをガラスより軽いプラスチック材質で製作しており、高解像度を具現するために、４枚以上のレンズでレンズモジュールを構成している。
【０００５】
しかし、プラスチック材質のレンズは、ガラス材質のレンズに比べ、色収差を改善しにくいだけでなく、相対的に明るい光学系を具現することが困難である。
【０００６】
一方、高解像度のカメラを具現するためのレンズモジュールに関する先行技術として、特許文献１及び２が挙げられる。
【先行技術文献】
【特許文献】
【０００７】
【特許文献１】ＫＲ２０１２‐０１８５７３Ａ
【特許文献２】ＫＲ２００７‐０９７３６９Ａ
【発明の概要】
【発明が解決しようとする課題】
【０００８】
本発明は上記のような問題点を解決するためのものであり、高解像度の性能及び明るい光学系を具現することができるレンズモジュールを提供することをその目的とする。
【課題を解決するための手段】
【０００９】
上記の目的を果たすための本発明の一実施例によるレンズモジュールは、正の屈折力を有し、物体側の面が凸の第１レンズと、負の屈折力を有し、像側の面が凹の第２レンズと、正の屈折力を有する第３レンズと、負の屈折力を有し、像側の面が凸の第４レンズと、負の屈折力を有し、像側の面が凹の第５レンズと、を含み、上記第４レンズは条件式１を満たすことができる。
【００１０】
［式１］
ｆ４／ｆ＜−３．０
（条件式１において、ｆは光学系全体の焦点距離であり、ｆ４は第４レンズの焦点距離である。）
【００１１】
本発明の一実施例によるレンズモジュールにおいて、上記第１レンズと上記第４レンズは条件式２を満たすことができる。
【００１２】
［式２］
２０＜υ１−υ４＜４０
（条件式２において、υ１は第１レンズのアッベ数（ａｂｂｅ  ｎｕｍｂｅｒ）であり、υ４は第４レンズのアッベ数である。）
【００１３】
本発明の一実施例によるレンズモジュールにおいて、上記第１レンズと上記第４レンズは条件式３を満たすことができる。
【００１４】
［式３］
ｆ４／ｆ１＜−５．０
（条件式３において、ｆ１は第１レンズの焦点距離であり、ｆ４は第４レンズの焦点距離である。）
【００１５】
本発明の一実施例によるレンズモジュールは、条件式４を満たすことができる。
【００１６】
［式４］
０．５＜ＴＬ／ｆ＜２．０
（条件式４において、ＴＬは第１レンズの物体側の面からイメージセンサの上面までの距離であり、ｆは光学系全体の焦点距離である。）
【００１７】
本発明の一実施例によるレンズモジュールにおいて、上記第３レンズは像側の面が凸形状であることができる。
【００１８】
本発明の一実施例によるレンズモジュールにおいて、上記第４レンズはメニスカス形状であることができる。
【００１９】
本発明の一実施例によるレンズモジュールにおいて、上記第５レンズの像側の面には少なくとも一つの変曲点が形成されることができる。
【００２０】
上記目的を果たすための本発明の他の実施例によるレンズモジュールは、正の屈折力を有し、物体側の面が凸の第１レンズと、負の屈折力を有し、像側の面が凹の第２レンズと、像側に凸のメニスカス形状の第３レンズと、負の屈折力を有し、像側の面が凸の第４レンズと、負の屈折力を有し、像側の面が凹の第５レンズと、を含み、上記第４レンズは条件式１を満たすことができる。
【００２１】
［式１］
ｆ４／ｆ＜−３．０
（条件式１において、ｆは光学系全体の焦点距離であり、ｆ４は第４レンズの焦点距離である。）
【００２２】
本発明の他の実施例によるレンズモジュールにおいて、上記第１レンズと上記第４レンズは条件式２を満たすことができる。
【００２３】
［式２］
２０＜υ１−υ４＜４０
（条件式２において、υ１は第１レンズのアッベ数（ａｂｂｅ  ｎｕｍｂｅｒ）であり、υ４は第４レンズのアッベ数である。）
【００２４】
本発明の他の実施例によるレンズモジュールにおいて、上記第１レンズと上記第４レンズは条件式３を満たすことができる。
【００２５】
［式３］
ｆ４／ｆ１＜−５．０
（条件式３において、ｆ１は第１レンズの焦点距離であり、ｆ４は第４レンズの焦点距離である。）
【００２６】
本発明の他の実施例によるレンズモジュールは条件式４を満たすことができる。
【００２７】
［式４］
０．５＜ＴＬ／ｆ＜２．０
（条件式４において、ＴＬは第１レンズの物体側の面からイメージセンサの上面までの距離であり、ｆは光学系全体の焦点距離である。）
【００２８】
本発明の他の実施例によるレンズモジュールにおいて、上記第３レンズは像側の面が凸形状であることができる。
【００２９】
本発明の他の実施例によるレンズモジュールにおいて、上記第５レンズの像側の面には少なくとも一つの変曲点が形成されることができる。
【発明の効果】
【００３０】
本発明のレンズモジュールは、高解像度のカメラ及び明るい光学系を具現することができる。
【図面の簡単な説明】
【００３１】
【図１】本発明の第１実施例によるレンズモジュールの構成図である。
【図２】（ａ）、（ｂ）及び（ｃ）は図１に図示されたレンズモジュールの収差特性を示したグラフである。
【図３】本発明の第２実施例によるレンズモジュールの構成図である。
【図４】（ａ）、（ｂ）及び（ｃ）は図３に図示されたレンズモジュールの収差特性を示したグラフである。
【図５】本発明の第３実施例によるレンズモジュールの構成図である。
【図６】（ａ）、（ｂ）及び（ｃ）は図５に図示されたレンズモジュールの収差特性を示したグラフである。
【図７】本発明の第４実施例によるレンズモジュールの構成図である。
【図８】（ａ）、（ｂ）及び（ｃ）は図７に図示されたレンズモジュールの収差特性を示したグラフである。
【図９】本発明の第５実施例によるレンズモジュールの構成図である。
【図１０】（ａ）、（ｂ）及び（ｃ）は図９に図示されたレンズモジュールの収差特性を示したグラフである。
【発明を実施するための形態】
【００３２】
以下、本発明の好ましい実施例を添付の例示図面に基づいて詳細に説明する。
【００３３】
以下で本発明を説明するにあたり、本発明の構成要素を指称する用語はそれぞれの構成要素の機能を考慮して命名されたものであるため、本発明の技術的構成要素を限定する意味で理解されてはならない。
【００３４】
参考までに、本明細書において、前側とはレンズモジュールにおいて物体側に近い方向を意味し、後側とはレンズモジュールにおいてイメージセンサに近い方向を意味するということを明らかにしておく。また、それぞれのレンズにおいて、第１面は物体側に近い面を意味し、第２面は像側に近い面を意味するということを明らかにしておく。
【００３５】
図１は本発明の第１実施例によるレンズモジュールの構成図であり、図２は図１に図示されたレンズモジュールの収差特性を示したグラフであり、図３は本発明の第２実施例によるレンズモジュールの構成図であり、図４は図３に図示されたレンズモジュールの収差特性を示したグラフであり、図５は本発明の第３実施例によるレンズモジュールの構成図であり、図６は図５に図示されたレンズモジュールの収差特性を示したグラフであり、図７は本発明の第４実施例によるレンズモジュールの構成図であり、図８は図７に図示されたレンズモジュールの収差特性を示したグラフであり、図９は本発明の第５実施例によるレンズモジュールの構成図であり、図１０は図９に図示されたレンズモジュールの収差特性を示したグラフである。
【００３６】
本発明によるレンズモジュール１００は、第１レンズ１０と、第２レンズ２０と、第３レンズ３０と、第４レンズ４０と、第５レンズ５０と、を含み、選択的に、絞り、フィルタ部材６０及びイメージセンサ７０をさらに含むことができる。第１レンズ１０から第５レンズ５０は、物体側（即ち、被写体または撮影対象物）から像側（即ち、イメージセンサ）の方に、順に配置されることができる。
【００３７】
第１レンズ１０、第２レンズ２０、第３レンズ３０、第４レンズ４０及び第５レンズ５０は、プラスチック材質で製作されることができる。このように、全てのレンズ１０、２０、３０、４０、５０がプラスチック材質で製作されると、レンズモジュール１００の製造コストを軽減させることができ、レンズモジュール１００の大量生産に有利である。また、レンズ１０、２０、３０、４０、５０をプラスチック材質で製作すると、レンズ面Ｓ１、Ｓ２、Ｓ３、Ｓ４、Ｓ５、Ｓ６、Ｓ７、Ｓ８、Ｓ９、Ｓ１０の加工が容易であるため、レンズ面を球面または非球面で形成することができる。
【００３８】
第１レンズ１０は、レンズモジュール１００において物体側に最も近く配置されることができる。
【００３９】
第１レンズ１０は、全体的に正の屈折力を有することができる。また、第１レンズ１０の第１面Ｓ１は物体側に凸形状であることができ、第２面Ｓ２は像側に凸形状であることができる。さらに説明すると、第１面Ｓ１は第２面Ｓ２より凸形状であることができる。
【００４０】
第１レンズ１０の第１面Ｓ１と第２面Ｓ２のうち少なくとも一つは非球面であることができる。しかし、必要に応じて、第１レンズ１０の第１面Ｓ１と第２面Ｓ２の両方が非球面であることもできる。
【００４１】
第２レンズ２０は第１レンズ１０の後側（像側方向）に配置されることができる。第２レンズ２０は、全体的に負の屈折力を有することができ、第１レンズ１０と同様に、プラスチック材質で製作されることができる。
【００４２】
第２レンズ２０の第１面Ｓ３は物体側に凸形状であることができ、第２面Ｓ４は凹形状であることができる。また、第２レンズ２０は少なくとも一つの非球面を有することができる。例えば、第２レンズ２０の第１面Ｓ３と第２面Ｓ４のうち少なくとも一つは非球面であることができる。しかし、必要に応じて、第２レンズ２０の第１面Ｓ３と第２面Ｓ４の両方が非球面であることもできる。
【００４３】
第２レンズ２０は下記式１を満たすアッベ数（ａｂｂｅ  ｎｕｍｂｅｒ）を有することができる。
【００４４】
［数１］
υ２＜４０
（ここで、υ２は第２レンズのアッベ数（ａｂｂｅ  ｎｕｍｂｅｒ）である。）
【００４５】
このように第２レンズ２０のアッベ数が４０未満であると、第１レンズ１０によって生じる色収差を効果的に補正することができる。ここで、第２レンズ２０のアッベ数が４０より大きいと、第１レンズ１０のアッベ数と第２レンズ２０のアッベ数との間の偏差が小さくなるため（通常、第１レンズ１０のアッベ数は５０〜６０である）、第２レンズ２０による色収差の補正効果が劣る恐れがある。従って、第２レンズ２０のアッベ数は、上記式１で提案したように４０未満に製作することが好ましい。第２レンズ２０のアッベ数は２０〜３０であることができる。
【００４６】
第３レンズ３０は第２レンズ２０の後側に配置されることができる。第３レンズ３０は、全体的に正の屈折力を有することができ、プラスチック材質で製作されることができる。しかし、第３レンズ３０は、必要に応じて、負の屈折力を有することもできる。
【００４７】
第３レンズ３０の第１面Ｓ５は凹形状であることができ、第２面Ｓ６は像側に凸形状であることができる。すなわち、第３レンズ３０は、メニスカス形状であることができる。一方で、第３レンズ３０の第１面Ｓ５は、場合に応じて、物体側に凸形状であることもできる（第３実施例の図５参照）。
【００４８】
一方、上述の第２レンズ２０と第３レンズ３０は下記式２を満たすことができる。
【００４９】
［数２］
−３．０＜ｆ３／ｆ２＜−０．３
（ここで、ｆ２は第２レンズ２０の焦点距離であり、ｆ３は第３レンズ３０の焦点距離である。）
【００５０】
レンズモジュールにおいて、ｆ３／ｆ２の値が上記式２の下限値未満であると、第２レンズの屈折力が強くなり、第２レンズの製作が困難となる恐れがある。同様に、レンズモジュールにおいてｆ３／ｆ２の値が上記式２の上限値を超過すると、第３レンズの屈折力が強くなり、第３レンズの製作が困難となる恐れがある。
【００５１】
従って、レンズモジュールの大量生産のためには、上記式２による条件を満たすことが好ましい。
【００５２】
第４レンズ４０は第３レンズ３０の後側に配置されることができる。第４レンズ４０は、負の屈折力を有することができ、プラスチック材質で製作されることができる。
【００５３】
第４レンズ４０の第１面Ｓ７は凹形状であることができ、第２面Ｓ８は像側に凸形状であることができる。また、第４レンズ４０は、全体的に像側に凸のメニスカス形状であることができる。
【００５４】
第４レンズ４０は下記式３〜５を満たすことができる。
【００５５】
［数３］
２０＜υ１―υ４＜４０
（ここで、υ１は第１レンズのアッベ数であり、υ４は第４レンズのアッベ数である。）
【００５６】
上記式３はレンズモジュールの色収差に関する限定条件であることができる。即ち、上記式３の条件を満たすようにレンズモジュールを製作すると、第１レンズ１０と第４レンズ４０による色収差の補正効果を高めることができる。しかし、υ１−υ４の値が上記式３の下限値未満であると、ガラス材質のレンズを用いなければならないため、レンズモジュール１００の製作コストが上昇するという短所がある。また、υ１−υ４の値が上記式３の上限値を超過すると、色収差の補正効果が低下して、高解像度が具現されたレンズモジュールの製作が困難となる。
【００５７】
［数４］
ｆ４／ｆａ＜−５．０
（ここで、ｆ１は第１レンズの焦点距離であり、ｆ４は第４レンズの焦点距離である。）
【００５８】
上記式４は第４レンズの屈折力を制限するための限定条件であることができる。即ち、ｆ４／ｆ１の値が上記式４の上限値を超過すると、レンズモジュールで占める第４レンズ４０の屈折力が強くなり、レンズモジュール１００の解像力が低下するか、またはレンズモジュール１００の全体長さ（即ち、全体光学系の長さ）が長くなる恐れがある。
【００５９】
［数５］
ｆ４／ｆ＜−３．０
（ここで、ｆはレンズモジュール全体の焦点距離であり、ｆ４は第４レンズの焦点距離である。）
【００６０】
上記式５は上記式４と同様に、第４レンズの屈折力を制限するための限定条件であることができる。即ち、ｆ４／ｆの値が上記式５の上限値を超過すると、レンズモジュールで占める第４レンズ４０の（負の）屈折力が強くなり、レンズモジュール１００の解像力が低下するか、またはレンズモジュール全体の焦点距離が短くなりすぎて、歪曲補正が困難となる（または、レンズモジュールの画角が大きくなりすぎて、歪曲現象が発生する恐れがある）。
【００６１】
従って、レンズモジュール１００の全体長さを減少させるためには、上記式４及び上記式５の両方を満たすことが好ましい。
【００６２】
第５レンズ５０は第４レンズ４０の後側に配置されることができる。第５レンズ５０は、負の屈折力を有することができ、プラスチック材質で製作されることができる。
【００６３】
第５レンズ５０の第１面Ｓ９は、光軸Ｃ‐Ｃと交差する部分が物体側に凸形状であり、光軸Ｃ‐Ｃの周辺部が凹形状であることができる。また、第５レンズ５０の第２面Ｓ１０は、光軸Ｃ‐Ｃと交差する部分が凹形状であり、光軸Ｃ‐Ｃの周辺部が凸形状であることができる。即ち、第５レンズ５０の第１面Ｓ９と第２面Ｓ１０には、一つ以上の変曲点が形成されることができる。
【００６４】
フィルタ部材６０は第５レンズ５０の後側に配置されることができる。フィルタ部材６０は、両面が平面であることができ、プラスチック以外の材質で製作されることができる。例えば、フィルタ部材６０は、ガラス材質で製作されることができる。
【００６５】
フィルタ部材６０は赤外線を遮断することができる。そのために、フィルタ部材６０の少なくとも一面には、ＩＲ遮光フィルムが付着されるか、またはＩＲ遮光膜がコーティングされることができる。一方、フィルタ部材６０は、レンズモジュール１００の種類によって省略されることができる。
【００６６】
イメージセンサ７０はフィルタ部材６０の後側に配置されることができる。
【００６７】
イメージセンサ７０は、レンズ１０、２０、３０、４０、５０を介して入射された被写体の像を電気的信号に変換することができる。イメージセンサ７０は、ＣＣＤ、ＣＭＯＳが用いられることができ、ＣＳＰ（Ｃｈｉｐ  Ｓｃａｌｅ  Ｐａｃｋａｇｅ）形態に製作されることができる。
【００６８】
絞り（不図示）は、第１レンズ１０の前側または第１レンズ１０と第２レンズ２０との間に配置されることができる。しかし、絞りは必要に応じて省略されることができる。
【００６９】
このように構成されたレンズモジュール１００は下記式６を満たすことができる。
【００７０】
［数６］
０．５＜ＴＬ／ｆ＜２．０
（ここで、ＴＬは全体光学系の長さ（第１レンズの第１面Ｓ１からイメージセンサ７０の上面までの長さ）であり、ｆは全体光学系の焦点距離である。）
【００７１】
上記式６はレンズモジュールの画角及び長さを限定するための数値であることができる。即ち、ＴＬ／ｆ値が上記式６の下限値未満であると、レンズモジュール１００の画角を確保することが困難となる。これと反対に、ＴＬ／ｆ値が上記式６の上限値を超過すると、レンズモジュール１００の長さ（即ち、ＴＬ）が長くなり、小型レンズモジュール１００の製作が困難となる。
【００７２】
一方、上述の第１レンズ１０から第４レンズ４０の少なくとも一面は非球面であることができる。これらレンズの非球面係数は、下記式７により計算されることができる。
【００７３】
【数７】
2015014814.tif 000003
（ここで、ｃは曲率（１／曲率半径）であり、ｈはレンズの中央から特定位置までの半径であり、Ｋはコーニック（ｃｏｎｉｃ）係数、Ａは４次係数、Ｂは６次係数、Ｃは８次係数、Ｄは１０次係数、Ｅは１２次係数、Ｆは１４次係数であり、Ｚは特定位置でのサグ（ｓａｇ）である。）
【００７４】
参考までに、それぞれの実施例に対するＫ、Ａ、Ｂ、Ｃ、Ｄ、Ｅ、Ｆの値は表２、４、６、８、１０に記載している。
【００７５】
このように構成されたレンズモジュール１００は、上記式１〜５による数値の限定により、高解像度を具現することができるだけでなく、小型化が可能となる。
【００７６】
また、本レンズモジュール１００は、上記式４及び式５によって第４レンズ４０の焦点距離を限定することにより、レンズモジュール１００の明るさを向上させることができる。
【００７７】
下記表１〜表１０は、上記のような構成を有するレンズモジュール１００の様々な実施例に対する数値を示した表である。
【００７８】
（第１実施例）
図１及び図２を参照して、第１実施例によるレンズモジュール１００について説明する。
【００７９】
第１実施例によるレンズモジュール１００は、正の屈折力を有する第１レンズ１０と、負の屈折力を有する第２レンズ２０と、正の屈折力を有する第３レンズ３０と、負の屈折力を有する第４レンズ４０と、負の屈折力を有する第５レンズ５０と、を含むことができる。
【００８０】
【表１】
2015014814.tif 000004
【００８１】
本レンズモジュール１００において、第１レンズ１０の焦点距離（ｆ１）は２．９１ｍｍであり、第２レンズ２０の焦点距離（ｆ２）は−５．６８ｍｍであり、第３レンズ３０の焦点距離（ｆ３）は８．４４ｍｍであり、第４レンズ４０の焦点距離（ｆ４）は−２５．６１ｍｍであり、第５レンズ５０の焦点距離（ｆ５）は−１２．０１ｍｍであり、全体焦点距離（ｆ）は４．１２ｍｍであり、Ｆ  Ｎｏ．は２．４０である。また、ＴＬは４．７７ｍｍであって、添付された実施例のうち第２実施例とともに最も短い。
【００８２】
【表２】
2015014814.tif 000005
【００８３】
（第２実施例）
図３及び図４を参照して、第２実施例によるレンズモジュール１００について説明する。
【００８４】
第２実施例によるレンズモジュール１００は、正の屈折力を有する第１レンズ１０と、負の屈折力を有する第２レンズ２０と、正の屈折力を有する第３レンズ３０と、負の屈折力を有する第４レンズ４０と、負の屈折力を有する第５レンズ５０と、を含むことができる。
【００８５】
【表３】
2015014814.tif 000006
【００８６】
本レンズモジュール１００において、第１レンズ１０の焦点距離（ｆ１）は２．８６であり、第２レンズ２０の焦点距離（ｆ２）は−５．５０であり、第３レンズ３０の焦点距離（ｆ３）は７．８５であり、第４レンズ４０の焦点距離（ｆ４）は−１００．００であり、第５レンズ５０の焦点距離（ｆ５）は−８．２４であり、全体焦点距離（ｆ）は４．１２であり、Ｆ  Ｎｏ．は２．４０である。また、ＴＬは４．７７であって、第１実施例とともに最も短い。
【００８７】
【表４】
2015014814.tif 000007
【００８８】
（第３実施例）
図５及び図６を参照して、第３実施例によるレンズモジュール１００について説明する。
【００８９】
第３実施例によるレンズモジュール１００は、正の屈折力を有する第１レンズ１０と、負の屈折力を有する第２レンズ２０と、正の屈折力を有する第３レンズ３０と、負の屈折力を有する第４レンズ４０と、負の屈折力を有する第５レンズ５０と、を含むことができる。
【００９０】
ここで、第３レンズ３０の第１面Ｓ５は、他の実施例と異なって、物体側に凸形状であることができる。また、第４レンズ４０は、図５に図示されたように、光軸Ｃ‐Ｃの周辺部で変曲点を有する形状であることができる。
【００９１】
【表５】
2015014814.tif 000008
【００９２】
本レンズモジュール１００において、第１レンズ１０の焦点距離（ｆ１）は３．２３であり、第２レンズ２０の焦点距離（ｆ２）は−５．８５であり、第３レンズ３０の焦点距離（ｆ３）は５．４６であり、第４レンズ４０の焦点距離（ｆ４）は−１００．００であり、第５レンズ５０の焦点距離（ｆ５）は−６．３１であり、全体焦点距離（ｆ）は４．１６である。また、Ｆ  Ｎｏ．は２．２０であって、第１実施例及び第２実施例に比べ明るい。但し、ＴＬは４．８７であって、第１実施例及び第２実施例に比べやや長い。
【００９３】
【表６】
2015014814.tif 000009
【００９４】
（第４実施例）
図７及び図８を参照して、第４実施例によるレンズモジュール１００について説明する。
【００９５】
第４実施例によるレンズモジュール１００は、正の屈折力を有する第１レンズ１０と、負の屈折力を有する第２レンズ２０と、正の屈折力を有する第３レンズ３０と、負の屈折力を有する第４レンズ４０と、負の屈折力を有する第５レンズ５０と、を含むことができる。
【００９６】
ここで、第４レンズ４０は、第３実施例と同様に、光軸Ｃ‐Ｃの周辺部で変曲点を有する形状であることができる。
【００９７】
【表７】
2015014814.tif 000010
【００９８】
本レンズモジュール１００において、第１レンズ１０の焦点距離（ｆ１）は３．５２であり、第２レンズ２０の焦点距離（ｆ２）は−７．５５であり、第３レンズ３０の焦点距離（ｆ３）は４．４６であり、第４レンズ４０の焦点距離（ｆ４）は−９５．０１であり、第５レンズ５０の焦点距離（ｆ５）は−５．３２であり、全体焦点距離（ｆ）は４．２１である。また、Ｆ  Ｎｏ．は２．２０であり、ＴＬは４．８７である。本実施例は、第３実施例と同様に、Ｆ  Ｎｏ．が低いが、ＴＬは１実施例及び第２実施例に比べやや長い。
【００９９】
【表８】
2015014814.tif 000011
【０１００】
（第５実施例）
図９及び図１０を参照して、第５実施例によるレンズモジュール１００について説明する。
【０１０１】
第５実施例によるレンズモジュール１００は、正の屈折力を有する第１レンズ１０と、負の屈折力を有する第２レンズ２０と、正の屈折力を有する第３レンズ３０と、負の屈折力を有する第４レンズ４０と、負の屈折力を有する第５レンズ５０と、を含むことができる。
【０１０２】
【表９】
2015014814.tif 000012
【０１０３】
本レンズモジュール１００において、第１レンズ１０の焦点距離（ｆ１）は３．０９であり、第２レンズ２０の焦点距離（ｆ２）は−５．５６であり、第３レンズ３０の焦点距離（ｆ３）は７．４１であり、第４レンズ４０の焦点距離（ｆ４）は−９１．６９であり、第５レンズ５０の焦点距離（ｆ５）は−８．３４であり、全体焦点距離（ｆ）は４．２５である。また、Ｆ  Ｎｏ．は２．２０であって、第１実施例及び第２実施例に比べ明るいが、ＴＬは５．０５であって、添付された実施例のうち最も長い。
【０１０４】
【表１０】
2015014814.tif 000013
【０１０５】
表１１は上述の実施例の主要数値を示した表である。
【０１０６】
上述の実施例１〜５は、表１１に図示されたように、上記式１〜５による数値限定を全て満たす。
【０１０７】
ここで、第１実施例及び第２実施例は他の実施例より相対的に短いＴＬを提供することができ、第３実施例から第５実施例は比較的明るいレンズモジュールを提供することができる。
【０１０８】
【表１１】
2015014814.tif 000014
【０１０９】
本発明は、以上で説明した実施例のみに限定されるものではなく、本発明が属する技術分野において通常の知識を有する者であれば、添付の特許請求範囲に記載された本発明の技術的思想の旨を外れない範囲内で、多様に変更して実施することができる。
【符号の説明】
【０１１０】
１０  第１レンズ
２０  第２レンズ
３０  第３レンズ
４０  第４レンズ
５０  第５レンズ
６０  フィルタ部材
７０  イメージセンサ
【図１】
2015014814.tif 000015
【図２】
2015014814.tif 000016
【図３】
2015014814.tif 000017
【図４】
2015014814.tif 000018
【図５】
2015014814.tif 000019
【図６】
2015014814.tif 000020
【図７】
2015014814.tif 000021
【図８】
2015014814.tif 000022
【図９】
2015014814.tif 000023
【図１０】
2015014814.tif 000024